(57)【要約】【課題】一斉開放弁の動作点検時に、防護区画に泡を出すことなく設備の点検を行うことができる。【解決手段】一斉開放弁６の二次室には二次側配管７が接続され、二次側配管７には、消火ヘッド８が接続されている。また、一斉開放弁６の一次側は第１の止水弁１３が設けられ、第１の止水弁１３と一斉開放弁６との間には三方継手１５が設けられる。  三方継手には、加圧手段としての簡易ポンプ１７が接続され、二次側配管７の消火ヘッド８の一次側には第２の止水弁１４が設けられる。【選択図】図１
2010234024.tif 000002
【特許請求の範囲】
【請求項１】
一斉開放弁と、該一斉開放弁の二次室に接続された二次側配管と、該二次側配管に接続された消火ヘッドとを備えた消火設備において、
前記一斉開放弁の一次側に設けられる第１の止水弁と、
該第１の止水弁と前記一斉開放弁との間に設けられた三方継手と、
該三方継手に接続される加圧手段と、
前記二次側配管の消火ヘッドの一次側に設けられた第２の止水弁と
を備えたことを特徴とする消火設備。
【発明の詳細な説明】
【技術分野】
【０００１】
本発明は、一斉開放弁を備えた消火設備に関するものである。
【背景技術】
【０００２】
従来より、ビルなどの駐車場には、一斉開放弁を備えた泡消火設備（例えば、特許文献１参照）が設置されている。泡消火設備は、泡水溶液の供給手段と、防護区画に設けられた一斉開放弁と、一斉開放弁のシリンダ室に配管を介して接続される感知ヘッドと、一斉開放弁の二次室に配管を介して接続される泡ヘッドなどから構成されている。
【０００３】
泡水溶液の供給手段は、ポンプと水槽からなる加圧送水装置と、原液タンクと、原液と水とを混合して泡水溶液を生成する混合器とから構成されている。この泡消火設備においては、火災時に、感知ヘッドが開栓することで、一斉開放弁が動作して、弁体が開放する。そして、泡ヘッドに泡水溶液が供給されて、防護区画に泡が放出されて火災を消火する
【先行技術文献】
【特許文献】
【０００４】
【特許文献１】特開平１０−２０１８７４号公報
【発明の概要】
【発明が解決しようとする課題】
【０００５】
泡消火設備は、定期的に動作点検を行う必要がある。例えば、感知ヘッドによる開栓によって、一斉開放弁が正しく開放するかどうかを点検しようとする場合、実際に、一斉開放弁自体を開放させてしまうと、火災時の動作と同様に防護区画に泡が放出され、その泡の後始末が面倒となる。
【０００６】
そこで、本発明は、防護区画に泡を出さずに一斉開放弁の点検を行うことができるようにすることを目的とする。
【課題を解決するための手段】
【０００７】
本発明は、一斉開放弁と、一斉開放弁の二次室に接続された二次側配管と、二次側配管に接続された消火ヘッドとを備えた消火設備において、一斉開放弁の一次側に設けられる第１の止水弁と、第１の止水弁と一斉開放弁との間に設けられた三方継手と、三方継手に接続される加圧手段と、二次側配管の消火ヘッドの一次側に設けられた第２の止水弁とを備えたことを特徴とするものである。
【発明の効果】
【０００８】
本発明に係る消火設備によれば、一斉開放弁の動作点検時に、防護区画に泡を出すことなく設備の点検を行うことができる。
【図面の簡単な説明】
【０００９】
【図１】本発明の消火設備のシステム系統図である。
【発明を実施するための形態】
【００１０】
以下、本発明の消火設備を図面を用いて説明する。図１において、１はポンプ、２は水槽、３は原液タンク、４は混合器である。これらポンプ１〜混合器４によって、泡水溶液の供給手段が構成される。火災時には、例えば混合器４が接続された配管内の圧力低下を図示しない圧力空気槽が検知すると、ポンプ１が起動され、水槽２の水が原液タンク３と混合器４に供給される。原液タンク３では送水を受けると、内部に貯えた原液を混合器４側に送り、そして混合器４で、水と原液とが混合されて泡水溶液が生成され、後述する一斉開放弁側に供給する。
【００１１】
６は防護区画毎に設置される一斉開放弁である。一斉開放弁６の一次側と混合器４の二次側とは配管を介して接続される。７は二次側配管で、一斉開放弁６の二次室（二次側）に接続される。この二次側配管７には、複数の消火ヘッド８が接続されている。消火ヘッド８としては、開放型の泡ヘッドや閉鎖型の噴霧ヘッドが使用される。
【００１２】
９は感知ヘッド用配管で、一斉開放弁６のシリンダ室に接続される。この感知ヘッド用配管９には、複数の感知ヘッド１０が接続され、感知ヘッド用配管９の末端には手動の起動弁１１が設けられる。
【００１３】
ところで、消火ヘッド８として、閉鎖型の泡ヘッドや閉鎖型噴霧ヘッドを使用することで、泡消火設備において、局所放出を行うことが可能となり、火災時に、必要な場所にだけ泡を放出することが可能となる。この場合には、感知ヘッド１０としては、高感度型の感知ヘッドを使用して、閉鎖型の消火ヘッド８が動作する前に、感知ヘッド１０を作動させるようにするのが好ましい。
【００１４】
一斉開放弁６の両側には、それぞれ止水弁１３，１４が設けられる。つまり、一斉開放弁６の一次側（一次室側）には第１の止水弁１３が設けられ、一斉開放弁６の二次側（二次室側）に接続された二次側配管７には第２の止水弁１４が設けられる。言い換えれば、第２の止水弁１４は、二次側配管７の消火ヘッド８の一次側に設けられる。第１の止水弁１３、第２の止水弁１４はいずれも常時は開放されており、点検時に手動または電動によって閉止する弁である。
【００１５】
１５は三方継手で、第１の止水弁１３と一斉開放弁６との間に設けられ、例えばＴ字状の継手が使用される。三方継手１５は３つの接続口を有し、一斉開放弁６と第１の止水弁１３と加圧手段とが接続される。なお、加圧手段が接続される接続口１５Ｃは、通常時は、図示しない蓋部材によって塞がれている。この接続口１５Ｃに接続される蓋部材の代わりに、例えば手動の開閉弁を設けるようにしてもよい。１７は加圧手段としての簡易ポンプであり、一斉開放弁６の点検時に三方継手１５の接続口１５Ｃに接続される。加圧手段としてはコンプレッサなどを使用してもよい。なお、２０は混合器４の二次側から垂直方向に立ち上げられた本管で、２１は本管２０から分岐して一斉開放弁６まで接続される一次側配管である。一次側配管２１には図示しない流水検知装置が接続されるが、その二次側にテスト弁を設けるようにしてもよい。点検時に、このテスト弁を開放することで、放水圧力や混合比、発泡倍率などを測定することができる。
【００１６】
次に一斉開放弁６の動作点検を行う場合について説明する。まず、消火設備の点検員は、三方継手１５の接続口１５Ｃに接続された、図示しない蓋部材を取り外して、その接続口１５Ｃに簡易ポンプ１７を接続する。簡易ポンプ１７と接続口１５Ｃとはフレキシブル配管などを利用して接続する。
【００１７】
それから、一斉開放弁６の一次側にある第１の止水弁１３を閉止して、泡水溶液供給手段から泡水溶液が供給されないようにする。即ち、この点検時に一斉開放弁６が開放した場合に、一斉開放弁６の一次側の配管が圧力低下を起こすと、ポンプ１が駆動され、それによって、原液タンク３に送水されてしまう。設備の点検時には、原液タンク３内に送水されないように原液タンク３周りの各種バルブを閉止するなどの手間があるが、本発明の場合には、そのような手間は不要で、第１の止水弁１３を閉止するだけでよい。
【００１８】
そして、一斉開放弁６の二次側の二次側配管７にある第２の止水弁１４を閉止する。この第２の止水弁１４を閉じることで、仮に、一斉開放弁６が開放しても、泡水溶液が消火ヘッド８に供給されることはないから防護区画に泡が放出されるのを防止できる。
【００１９】
弁関係の準備が整ったら、三方継手１５に接続した簡易ポンプ１７を起動して、一斉開放弁６の一次室側を加圧する。これにより、一斉開放弁６の一次側に、通常時と同様に、加圧された消火水の圧力がかかっている状態にする。
【００２０】
このような状態にしてから、最後に、感知ヘッド用配管９の末端にある手動起動弁１１を開放する。そうすると、感知ヘッド１０が開放したと同じ状態となって、感知ヘッド用配管９内の泡水溶液が手動起動弁１１から排出され、一斉開放弁６のシリンダ室が減圧する。このとき、一次室が簡易ポンプ１７で加圧されていることから、一斉開放弁６が開放するが、第２の止水弁１４が閉止していることから、消火ヘッド８から泡は放出されない。
【００２１】
なお、一斉開放弁６の動作確認は目視で構わないが、一斉開放弁６の動作確認を行いやすくするために、一斉開放弁６の弁体の上昇を検知するスイッチを弁本体の外部に接続するなどして、信号として検出するようにしてもよい。
【００２２】
以上のようにして、一斉開放弁６の動作点検が行われるので、防護区画に泡を出すことなく設備の点検を行うことができる。動作を確認したら、各種の弁を元の状態に戻して点検を終了する。
【００２３】
ところで、このような一斉開放弁を使用した泡消火設備はたくさんの現場に設置されているが、通常は、消火ヘッドとして開放型の泡ヘッドを使用している。そこで、この泡消火設備をリニューアルするにあたって、前述したように、消火ヘッドを閉鎖型の泡ヘッドと交換すると共に、消火ヘッドよりも高感度の感知ヘッドに交換することで、一斉開放弁や設備配管はそのまま利用した状態で、全域放出型の泡消火設備を局所放出型の閉鎖型泡消火設備に変更するようにしてもよい。この設備では、火災時には、感知ヘッドが作動して、それにより一斉開放弁が開放し、二次側配管内に泡水溶液が満たされる。その後、閉鎖型泡ヘッドが開放すれば、その動作した閉鎖型泡ヘッドだけから泡が放出されて火災を消火する。
【符号の説明】
【００２４】
１  ポンプ、  ２  水槽、  ３  原液タンク、  ４  混合器、
６  一斉開放弁、  ７  二次側配管、  ８  消火ヘッド、
１０  感知ヘッド、  １３  第１の止水弁、  １４  第２の止水弁。
１５  三方継手、  ｔｔ
【図１】
2010234024.tif 000003